【手続補正書】
【提出日】平成24年8月3日(2012.8.3)
【手続補正１】
【補正対象書類名】明細書
【補正対象項目名】００１３
【補正方法】変更
【補正の内容】
【００１３】
請求項１の発明は、遊技盤(4)に設けた第１，第２可動役物機構(17A/17B(17C)(17D)) を備えた遊技機(1)の可動役物装置(17)において、前記第１，第２可動役物機構(17A/17B(17C)(17D))の各々が、重なり得る複数の可動役物(40A,50A,60A/40B,50B,60B(40C,50C,60C)(40D,50D,60D))と、前記複数の可動役物(40A,50A,60A/40B,50B,60B(40C,50C,60C)(40D,50D,60D))の基端側部分を同一の軸心(Aa/Ba)回りに夫々回動自在に支持する第１枢支部(35A,36A/35B,36B)を有するベース部材(30A/30B(30C)(30D))と、前記複数の可動役物(40A,50A,60A/40B,50B,60B(40C,50C,60C)(40D,50D,60D))が重なった第１の位置と第１の位置から前記軸心(Aa/Ba)回りに回動して展開した第２の位置とに亙って、複数の可動役物(40A,50A,60A/40B,50B,60B(40C,50C,60C)(40D,50D,60D))を個別に設定された異なる動作角度回動させるように駆動する回動駆動機構(70A/70B(70C)(70D))とを備え、前記第１可動役物機構(17A)の回動駆動機構(70A)の少なくとも一部と、それに対応する第２可動役物機構(17B(17C)(17D))の回動駆動機構(70B(70C)(70D))の少なくとも一部とを共通部品で構成したことを特徴とする。
【手続補正２】
【補正対象書類名】明細書
【補正対象項目名】００１４
【補正方法】変更
【補正の内容】
【００１４】
上記の構成において、前記の各回動駆動機構(70A/70B(70C)(70D))は、前記ベース部材(30A/30B(30C)(30D))の第２枢支部(37A,38A/37B,38B)に支軸(75A/75B(75C)(75D))を介して回動自在に支持された第１，第２レバー部(71Aa,71Ab/71Ba,71Bb)を有する駆動レバー部材(71A/71B(71C)(71D))と、前記駆動レバー部材(71A/71B(71C)(71D))を回動させる駆動力を前記第１レバー部(71Aa/71Ba)に入力可能な電動アクチュエータ(81A/81B(81C)(81D)) を含む駆動力入力手段(80A/80B(80C)(80D))と、前記複数の可動役物(40A,50A,60A/40B,50B,60B(40C,50C,60C)(40D,50D,60D))に夫々一体的に設けられ且つ前記第１枢支部(35A,36A/35B,36B)に対して前記第２レバー部(71Ab/71Bb)の方へ延びる複数の従動レバー部材(44A,54A,64A/44B,54B,64B(44C,54C,64C)(44D,54D,64D))と、前記駆動レバー部材(71A/71B(71C)(71D))の回動動作を複数の可動役物(40A,50A,60A/40B,50B,60B(40C,50C,60C)(40D,50D,60D))の個別の回動動作に変換するように、複数の従動レバー部材(44A,54A,64A/44B,54B,64B(44C,54C,64C)(44D,54D,64D))を前記第２レバー部(71Ab/71Bb)に夫々連動連結する連動連結機構(90A/90B(90C)(90D))とを備えたことを特徴とする。
【手続補正３】
【補正対象書類名】明細書
【補正対象項目名】００１５
【補正方法】変更
【補正の内容】
【００１５】
上記の構成において、前記第１可動役物機構(17A)の駆動力入力手段(80A)と、第２可動役物機構(17B(17C)(17D))の駆動力入力手段(80B(80C)(80D))とを共通部品で構成したことを特徴とする。
【手続補正４】
【補正対象書類名】明細書
【補正対象項目名】００１６
【補正方法】変更
【補正の内容】
【００１６】
上記の構成において、前記第１可動役物機構(17A)の駆動レバー部材(71A)及び複数の従動レバー部材(44A,54A,64A)と、第２可動役物機構(17C(17D))の駆動レバー部材(71C(71D))及び複数の従動レバー部材(44C,54C,64C(44D,54D,64D))とを共通部品で構成したことを特徴とする。
【手続補正５】
【補正対象書類名】明細書
【補正対象項目名】００１７
【補正方法】変更
【補正の内容】
【００１７】
上記の構成において、前記第１可動役物機構(17A)の回動駆動機構(70A)の全部と、第２可動役物機構(17C(17D))の回動駆動機構(70C(70D))の全部とを共通部品で構成したことを特徴とする。
【手続補正６】
【補正対象書類名】明細書
【補正対象項目名】００１８
【補正方法】変更
【補正の内容】
【００１８】
上記の構成において、前記第１可動役物機構(17A)のベース部材(30A)と、第２可動役物機構(17D)のベース部材(30D)とを共通部品で構成したことを特徴とする。
【手続補正７】
【補正対象書類名】明細書
【補正対象項目名】００１９
【補正方法】変更
【補正の内容】
【００１９】
上記の構成において、前記の各連動連結機構(90A/90B(90C)(90D))は、複数の従動レバー部材(44A,54A,64A/44B,54B,64B(44C,54C,64C)(44D,54D,64D))を前記第２レバー部(71Ab/71Bb)のうちの前記第２枢支部(37A,38A/37B,38B)からの距離が夫々異なる部位に連動連結することを特徴とする。
【手続補正８】
【補正対象書類名】明細書
【補正対象項目名】００２０
【補正方法】変更
【補正の内容】
【００２０】
上記の構成において、前記の各電動アクチュエータ(81A/81B(81C)(81D))が電動モータ(81A/81B(81C)(81D))からなり、前記の各駆動力入力手段(80A/80B(80C)(80D))は、電動モータ(81A/81B(81C)(81D))の出力軸(81Aa/81Ba)に固定され且つ出力軸(81Aa/81Ba)から前記第１レバー部(71Aa/71Ba)の方へ延びる入力レバー部材(83A/83B(83C)(83D))を有し、この入力レバー部材(83A/83B(83C)(83D))が、入力レバー部材(83A/83B(83C)(83D))の回動動作を駆動レバー部材(71A/71B(71C)(71D))の回動動作に変換可能に前記第１レバー部(71Aa/71Ba)に連動連結されたことを特徴とする。
【手続補正９】
【補正対象書類名】明細書
【補正対象項目名】００２１
【補正方法】変更
【補正の内容】
【００２１】
上記の構成において、前記の各回動駆動機構(70A/70B(70C)(70D))は、第１可動役物機構(17A)の複数の可動役物(40A,50A,60A)が第１の位置から第２の位置へ向かう回動方向と、第２可動役物機構(17B(17C)(17D))の複数の可動役物(40B,50B,60B(40C,50C,60C)(40D,50D,60D))が第１の位置から第２の位置へ向かう回動方向とが逆方向になるように構成されたことを特徴とする。
【手続補正１０】
【補正対象書類名】明細書
【補正対象項目名】００２２
【補正方法】変更
【補正の内容】
【００２２】
上記の構成において、前記第１可動役物機構(17A)の回動駆動機構(70A)は、複数の可動役物(40A,50A,60A)のうち最も後側に位置する可動役物(50A)の前記動作角度を他の可動役物(40A,60A)の前記動作角度よりも大きくするように構成され、第２可動役物機構(17B(17C)(17D))の回動駆動機構(70B(70C)(70D))は、複数の可動役物(40B,50B,60B(40C,50C,60C)(40D,50D,60D))のうち最も前側に位置する可動役物(40B(40C)(40D))の前記動作角度を他の可動役物(50B,60B(50C,60C)(50D,60D))の前記動作角度よりも大きくするように構成されたことを特徴とする。
【手続補正１１】
【補正対象書類名】明細書
【補正対象項目名】００２３
【補正方法】変更
【補正の内容】
【００２３】
上記の構成において、前記遊技機(1)が画像表示器(16)を備え、前記第１可動役物機構(17A)の複数の可動役物(40A,50A,60A)と第２可動役物機構(17B(17C)(17D))の複数の可動役物(40B,50B,60B(40C,50C,60C)(40D,50D,60D))が、前記第１の位置のときに鉛直姿勢になって画像表示器(16)の画面前側空間から左右両側へ退くとともに、前記第２の位置のときに傾斜姿勢になって画像表示器(16)の画面前側空間で展開して前後に重なるように構成されたことを特徴とする。
【手続補正１２】
【補正対象書類名】明細書
【補正対象項目名】００２４
【補正方法】変更
【補正の内容】
【００２４】
本発明の遊技機の可動役物装置によれば、回動駆動機構により、複数の可動役物が前後に重なった第１の位置と第１の位置から前記軸心回りに回動して展開した第２の位置とに亙って、複数の可動役物を個別に設定された異なる動作角度回動させるように駆動して、斬新な可動役物の構成及び動作を実現することができ、そして、第１可動役物機構の回動駆動機構の少なくとも一部と、それに対応する第２可動役物機構の回動駆動機構の少なくとも一部とを共通部品で構成したことで、第１，第２可動役物機構の部品の共通化を図り、部品の種類を低減し、製作コストを低減することができる。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】特許請求の範囲
【補正対象項目名】全文
【補正方法】変更
【補正の内容】
【特許請求の範囲】
【請求項１】
遊技盤に設けた第１，第２可動役物機構を備えた遊技機の可動役物装置において、
前記第１，第２可動役物機構の各々が、
重なり得る複数の可動役物と、
前記複数の可動役物の基端側部分を同一の軸心回りに夫々回動自在に支持する第１枢支部を有するベース部材と、
前記複数の可動役物が重なった第１の位置と第１の位置から前記軸心回りに回動して展開した第２の位置とに亙って、複数の可動役物を個別に設定された異なる動作角度回動させるように駆動する回動駆動機構とを備え、
前記第１可動役物機構の回動駆動機構の少なくとも一部と、それに対応する第２可動役物機構の回動駆動機構の少なくとも一部とを共通部品で構成したことを特徴とする遊技機の可動役物装置。